(57)【要約】【課題】電子機器から対応するアプリケーションを指定する。【解決手段】無線通信システムは、少なくとも１つの電子機器と、少なくとも１つのアプリケーションがそれぞれ動作する少なくとも１つの通信端末と、電子機器に対応するアプリケーションを識別するためのアプリケーション識別情報を管理するサーバとを具備する。電子機器は、当該電子機器に対応するアプリケーション識別情報を記憶する記憶部と、記憶部に記憶されているアプリケーション識別情報が示すアプリケーションに応じた方式によって通信端末との間で無線通信を行う第１の通信部と、記憶部に記憶されているアプリケーション識別情報をサーバからの変更要求に応じて変更する処理部とを備える。【選択図】図１
2015122565.tif 000002
【特許請求の範囲】
【請求項１】
少なくとも１つの電子機器と、
少なくとも１つのアプリケーションがそれぞれ動作する少なくとも１つの通信端末と、
前記電子機器に対応する前記アプリケーションを識別するためのアプリケーション識別情報を管理するサーバと
を具備する無線通信システムであって、
前記電子機器は、
当該電子機器に対応する前記アプリケーション識別情報を記憶する記憶部と、
前記記憶部に記憶されている前記アプリケーション識別情報が示すアプリケーションに応じた方式によって前記通信端末との間で無線通信を行う第１の通信部と、
前記記憶部に記憶されている前記アプリケーション識別情報を前記サーバからの変更要求に応じて変更する処理部と
を備える
無線通信システム。
【請求項２】
前記サーバは、前記電子機器に対応する前記通信端末を識別するための通信端末識別情報をさらに管理し、
前記記憶部は、当該電子機器に対応する前記通信端末識別情報をさらに記憶し、
前記第１の通信部は、前記記憶部に記憶されている前記通信端末識別情報が示す通信端末、および、前記記憶部に記憶されている前記アプリケーション識別情報が示すアプリケーションに応じた方式によって前記記憶部に記憶されている前記通信端末識別情報が示す通信端末との間で前記無線通信を行い、
前記処理部は、前記記憶部に記憶されている前記通信端末識別情報を前記サーバからの変更要求に応じてさらに変更する
請求項１記載の無線通信システム。
【請求項３】
前記第１の通信部は、前記記憶部に記憶されている前記通信端末識別情報が示す通信端末に応じた無線通信プロトコルに従って前記無線通信を行う
請求項２記載の無線通信システム。
【請求項４】
前記第１の通信部は、前記記憶部に記憶されている前記アプリケーション識別情報が示すアプリケーションに応じた暗号鍵を用いて、送信データを暗号化して前記無線通信を行い、前記無線通信による受信データを復号化する
請求項１から３のいずれかに記載の無線通信システム。
【請求項５】
前記第１の通信部は、前記記憶部に記憶されている前記アプリケーション識別情報が示すアプリケーションに応じたデータを送受信する
請求項１から４のいずれかに記載の無線通信システム。
【請求項６】
前記電子機器は、前記サーバから前記変更要求を受ける第２の通信部をさらに備える
請求項１から５のいずれかに記載の無線通信システム。
【請求項７】
前記第１の通信部は、前記サーバから前記変更要求を受ける
請求項１から５のいずれかに記載の無線通信システム。
【請求項８】
前記第１の通信部は、前記サーバから前記通信端末を介して前記変更要求を受ける
請求項１から５のいずれかに記載の無線通信システム。
【請求項９】
対応するアプリケーションを識別するためのアプリケーション識別情報を記憶する記憶部と、
前記記憶部に記憶されている前記アプリケーション識別情報が示すアプリケーションに応じた方式によって通信端末との間で無線通信を行う通信部と、
前記記憶部に記憶されている前記アプリケーション識別情報を変更要求に応じて変更する処理部と
を具備する電子機器。
【請求項１０】
対応するアプリケーションを識別するためのアプリケーション識別情報をそれぞれ記憶して前記アプリケーション識別情報が示すアプリケーションに応じた方式によって通信端末との間で無線通信を行う少なくとも１つの電子機器に対して、前記記憶されている前記アプリケーション識別情報の変更要求を発行するサーバ。
【請求項１１】
対応するアプリケーションを識別するためのアプリケーション識別情報を記憶する記憶部を備える電子機器における接続先変更方法であって、
通信部が、前記記憶部に記憶されている前記アプリケーション識別情報が示すアプリケーションに応じた方式によって通信端末との間で無線通信を行う通信手順と、
処理部が、前記記憶部に記憶されている前記アプリケーション識別情報を変更要求に応じて変更する処理手順と
を具備する接続先変更方法。
【発明の詳細な説明】
【技術分野】
【０００１】
本発明は、無線通信システムに関し、特に、電子機器と通信端末との間の無線通信を制御するための無線通信システム、サーバ、電子機器およびその接続先変更方法に関する。
【背景技術】
【０００２】
通信端末の普及に伴い、通信端末と電子機器とを接続して、電子機器からの情報を通信端末に入力するシステムが利用されるようになっている。例えば、ＵＳＢやＢｌｕｅｔｏｏｔｈ（登録商標）などのインターフェースを介して、体重計や体組織計をスマートフォンなどの通信端末に接続して、測定した体重を通信端末に入力する装置が提案されている（例えば、特許文献１参照。）。
【先行技術文献】
【特許文献】
【０００３】
【特許文献１】特開２０１３−０７０９７２号公報
【発明の概要】
【発明が解決しようとする課題】
【０００４】
上述の従来技術では、通信端末上で動作するアプリケーションの権限によって電子機器を操作するため、通信端末からの指示によって他の電子機器に自由に接続変更することができてしまう。その一方で、電子機器から接続先のアプリケーションを変更することができないという問題が生じる。
【０００５】
本発明はこのような状況に鑑みて生み出されたものであり、電子機器から接続するアプリケーションを指定することを目的とする。
【課題を解決するための手段】
【０００６】
本発明は、上述の問題点を解消するためになされたものであり、その第１の側面は、少なくとも１つの電子機器と、少なくとも１つのアプリケーションがそれぞれ動作する少なくとも１つの通信端末と、上記電子機器に対応する上記アプリケーションを識別するためのアプリケーション識別情報を管理するサーバとを具備する無線通信システムであって、上記電子機器は、当該電子機器に対応する上記アプリケーション識別情報を記憶する記憶部と、上記記憶部に記憶されている上記アプリケーション識別情報が示すアプリケーションに応じた方式によって上記通信端末との間で無線通信を行う第１の通信部と、上記記憶部に記憶されている上記アプリケーション識別情報を上記サーバからの変更要求に応じて変更する処理部とを備える無線通信システムである。
【０００７】
また、本発明の第２の側面は、対応するアプリケーションを識別するためのアプリケーション識別情報を記憶する記憶部と、上記記憶部に記憶されている上記アプリケーション識別情報が示すアプリケーションに応じた方式によって通信端末との間で無線通信を行う通信部と、上記記憶部に記憶されている上記アプリケーション識別情報を変更要求に応じて変更する処理部とを具備する電子機器である。
【０００８】
また、本発明の第３の側面は、対応するアプリケーションを識別するためのアプリケーション識別情報をそれぞれ記憶して上記アプリケーション識別情報が示すアプリケーションに応じた方式によって通信端末との間で無線通信を行う少なくとも１つの電子機器に対して、上記記憶されている上記アプリケーション識別情報の変更要求を発行するサーバである。
【０００９】
また、本発明の第４の側面は、対応するアプリケーションを識別するためのアプリケーション識別情報を記憶する記憶部を備える電子機器における接続先変更方法であって、通信部が、上記記憶部に記憶されている上記アプリケーション識別情報が示すアプリケーションに応じた方式によって通信端末との間で無線通信を行う通信手順と、処理部が、上記記憶部に記憶されている上記アプリケーション識別情報を変更要求に応じて変更する処理手順とを具備する接続先変更方法である。
【発明の効果】
【００１０】
本発明によれば、電子機器から接続するアプリケーションを指定することができるという優れた効果を奏し得る。
【図面の簡単な説明】
【００１１】
【図１】本発明の実施の形態における無線通信システムの第１の全体構成例を示す図である。
【図２】本発明の実施の形態における無線通信システムの第２の全体構成例を示す図である。
【図３】本発明の実施の形態における無線通信システムの第３の全体構成例を示す図である。
【図４】本発明の実施の形態における通信端末１０１および１０２と電子機器２０１および２０２との接続態様の第１の例を示す図である。
【図５】図４の接続例に対応する機器管理サーバ３００のデータベースの記憶例を示す図である。
【図６】図４の接続例に対して接続変更を行った際の接続態様例を示す図である。
【図７】図６の接続例に対応する機器管理サーバ３００のデータベースの記憶例を示す図である。
【図８】本発明の実施の形態における通信端末１００と電子機器２００との接続態様の第２の例を示す図である。
【図９】図８の接続例に対応する機器管理サーバ３００のデータベースの記憶例を示す図である。
【図１０】図８の接続例に対して接続変更を行った際の接続態様例を示す図である。
【図１１】図１０の接続例に対応する機器管理サーバ３００のデータベースの記憶例を示す図である。
【図１２】本発明の実施の形態における通信端末１００と電子機器２００との接続態様の第３の例を示す図である。
【図１３】図１２の接続例に対応する機器管理サーバ３００のデータベースの記憶例を示す図である。
【図１４】図１２の接続例に対して接続変更を行った際の接続態様例を示す図である。
【図１５】図１４の接続例に対応する機器管理サーバ３００のデータベースの記憶例を示す図である。
【発明を実施するための形態】
【００１２】
以下、本発明を実施するための形態（以下、実施の形態と称する）について説明する。
【００１３】
＜第１の全体構成例＞
図１は、本発明の実施の形態における無線通信システムの第１の全体構成例を示す図である。この無線通信システムの第１の全体構成例は、少なくとも１つの通信端末１００と、少なくとも１つの電子機器２００と、機器管理サーバ３００とを備えている。
【００１４】
通信端末１００は、ユーザとのやりとりを行うユーザインターフェースを備えて、操作入力を受け付け、または、表示などの出力を行う。通信端末１００としては、例えば、スマートフォンなどの携帯端末が想定される。通信端末１００には、それぞれ端末ＩＤ（通信端末識別情報）が付与されている。ここでは、通信端末１００に付与された端末ＩＤとして「ＴＩＤｙ」が示されている。この通信端末１００には、アプリケーション１１０がインストールされている。アプリケーション１１０には、それぞれアプリケーションＩＤ（アプリケーション識別情報）が付与されている。ここでは、アプリケーション１１０に付与されたアプリケーションＩＤとして「ＡＩＤｚ」が示されている。例えば、通信端末１００は、アプリケーション１１０を動作させることにより、所定の暗号鍵を用いてデータの暗号化および復号化を行い、所定の無線通信プロトコルに従って暗号化データの送受信を行う。
【００１５】
電子機器２００は、通信端末１００による操作対象となる機器である。電子機器２００としては、例えば、体重計や体組織計などの健康機器、照明装置などの住宅設備、ヘッドホンなどの周辺機器などが想定される。電子機器２００には、それぞれ機器ＩＤが付与されている。ここでは、電子機器２００に付与された機器ＩＤとして「ＤＩＤｘ」が示されている。この電子機器２００は、主回路基板２１０と、インターフェース（Ｉ／Ｆ）部２２０と、処理部２３０と、記憶部２４０と、通信部２５１および２５２とを備える。
【００１６】
主回路基板２１０は、電子機器２００本体のメイン回路である。この主回路基板２１０としては様々な形態が想定されるが、特に本発明を限定するものではない。主回路基板２１０が通信機能を有しないものであっても、インターフェース部２２０を介して、処理部２３０、記憶部２４０、通信部２５１および２５２と接続することにより、通信端末１００から主回路基板２１０に対する制御を行うことができる。
【００１７】
インターフェース部２２０は、主回路基板２１０から出力されるアナログまたはデジタルの出力信号Ｓｏｕｔを、処理部２３０で処理可能なデジタルデータＤｉｎに変換する。また、このインターフェース部２２０は、処理部２３０から出力されるデジタルデータＤｏｕｔを、主回路基板２１０に対するアナログまたはデジタルの入力信号Ｓｉｎに変換する。
【００１８】
処理部２３０は、インターフェース部２２０から入力されるデジタルデータＤｉｎに基づいて、送信データＤｔｅｒを生成する。また、この処理部２３０は、通信部２５１によって受信された受信データＤｔｅｒに基づいて、デジタルデータＤｏｕｔを生成する。
【００１９】
記憶部２４０は、通信端末１００を識別するための端末ＩＤとアプリケーション１１０を識別するためのアプリケーションＩＤとの対を記憶する。ここでは、記憶部２４０に記憶されている端末ＩＤとして「ＴＩＤｉ」が示され、記憶部２４０に記憶されているアプリケーションＩＤとして「ＡＩＤｊ」が示されている。
【００２０】
通信部２５１（第１の通信部）は、記憶部２４０に記憶されている端末ＩＤ（ＴＩＤｉ）が示す通信端末と、記憶部２４０に記憶されているアプリケーションＩＤ（ＡＩＤｊ）が示すアプリケーションとに応じた方式によって、端末ＩＤが示す通信端末との間で無線通信を行う。例えば、この通信部２５１は、アプリケーションＩＤが示すアプリケーションに応じた暗号鍵を用いてデータの暗号化および復号化を行う。また、例えば、この通信部２５１は、アプリケーションＩＤが示すアプリケーションに応じたパスワードを用いてログイン処理を行う。また、例えば、この通信部２５１は、端末ＩＤが示す通信端末に応じた無線通信プロトコル（例えばＢｌｕｅｔｏｏｔｈ（登録商標））に従って無線通信を行う。なお、電子機器２００における通信端末１００との間の無線通信に用いる暗号鍵は、記憶部２４０に記憶してもよく、また、通信部２５１に備えるようにしてもよい。
【００２１】
通信部２５２（第２の通信部）は、機器管理サーバ３００からのＩＤ変更要求ＣＲｉｄを、ネットワーク４１０を介して受信する。ネットワーク４１０は、電子機器２００と機器管理サーバ３００との間を接続するネットワークである。
【００２２】
機器管理サーバ３００は、後述するように、電子機器２００の各々の機器ＩＤと、電子機器２００の各々の記憶部２４０に記憶されている端末ＩＤおよびアプリケーションＩＤとを対応付けて記憶している。この機器管理サーバ３００は、ネットワーク４１０を介して、電子機器２００にＩＤ変更要求ＣＲｉｄを送信する。これにより、機器管理サーバ３００は、電子機器２００に対して、記憶部２４０に記憶されている端末ＩＤおよびアプリケーションＩＤの少なくとも一方を変更するよう指示する。
【００２３】
電子機器２００では、通信部２５２がＩＤ変更要求ＣＲｉｄを受けると、処理部２３０が、そのＩＤ変更要求ＣＲｉｄに応じてＩＤ変更信号Ｃｉｄを生成し、記憶部２４０に記憶されている端末ＩＤおよびアプリケーションＩＤの少なくとも一方を変更する。
【００２４】
＜第２の全体構成例＞
図２は、本発明の実施の形態における無線通信システムの第２の全体構成例を示す図である。この無線通信システムの第２の全体構成例では、機器管理サーバ３００に通信モジュール４２０（例えばＢｌｕｅｔｏｏｔｈ（登録商標）通信モジュール）を接続して、無線通信を行う。この第２の全体構成例における電子機器２００は、第１の全体構成例における通信部２５１および２５２に代えて、通信端末１００および通信モジュール４２０との間で無線通信を行う通信部２５３を備えている。なお、電子機器２００における通信端末１００との間の無線通信に用いる暗号鍵は、記憶部２４０に記憶してもよく、また、通信部２５３に備えるようにしてもよい。
【００２５】
この第２の全体構成例では、機器管理サーバ３００は、通信モジュール４２０を介して、電子機器２００にＩＤ変更要求ＣＲｉｄを送信する。これにより、機器管理サーバ３００は、電子機器２００に対して、記憶部２４０に記憶されている端末ＩＤおよびアプリケーションＩＤの少なくとも一方を変更するよう指示する。電子機器２００では、通信部２５３がＩＤ変更要求ＣＲｉｄを受けると、処理部２３０が、そのＩＤ変更要求ＣＲｉｄに応じてＩＤ変更信号Ｃｉｄを生成し、記憶部２４０に記憶されている端末ＩＤおよびアプリケーションＩＤの少なくとも一方を変更する。
【００２６】
機器管理サーバ３００は、電子機器２００の記憶部２４０に記憶されている端末ＩＤ（ＴＩＤｉ）およびアプリケーションＩＤ（ＡＩＤｊ）を把握している。したがって、機器管理サーバ３００は、そのＴＩＤｉおよびＡＩＤｊに応じた方式によって電子機器２００にＩＤ変更要求ＣＲｉｄを送信して、電子機器２００に対して、ＴＩＤｉおよびＡＩＤｊの少なくとも一方を変更するよう指示する。
【００２７】
＜第３の全体構成例＞
図３は、本発明の実施の形態における無線通信システムの第３の全体構成例を示す図である。この無線通信システムの第３の全体構成例では、機器管理サーバ３００は、ネットワーク４３０、基地局４４０、および、通信端末１００を介して、電子機器２００にＩＤ変更要求ＣＲｉｄを送信する。なお、電子機器２００における通信端末１００との間の無線通信に用いる暗号鍵は、記憶部２４０に記憶してもよく、また、通信部２５１に備えるようにしてもよい。
【００２８】
機器管理サーバ３００は、ネットワーク４３０を介して基地局４４０に接続する。この基地局４４０は、例えば、携帯電話基地局などを想定する。そして、基地局４４０と通信端末１００との間で無線通信が行われ、ＩＤ変更要求ＣＲｉｄが通信端末１００に一旦送信される。このＩＤ変更要求ＣＲｉｄは、さらに通信端末１００と電子機器２００との間の無線通信によって電子機器２００の通信部２５１において受信される。
【００２９】
これにより、機器管理サーバ３００は、電子機器２００にＩＤ変更要求ＣＲｉｄを送信して、電子機器２００に対して、記憶部２４０に記憶されている端末ＩＤおよびアプリケーションＩＤの少なくとも一方を変更するよう指示する。電子機器２００では、通信部２５１がＩＤ変更要求ＣＲｉｄを受けると、処理部２３０が、そのＩＤ変更要求ＣＲｉｄに応じてＩＤ変更信号Ｃｉｄを生成し、記憶部２４０に記憶されている端末ＩＤおよびアプリケーションＩＤの少なくとも一方を変更する。
【００３０】
機器管理サーバ３００は、電子機器２００の記憶部２４０に記憶されている端末ＩＤ（ＴＩＤｉ）およびアプリケーションＩＤ（ＡＩＤｊ）を把握している。したがって、機器管理サーバ３００は、通信端末１００に対して、そのＴＩＤｉおよびＡＩＤｊに応じた方式によって電子機器２００にＩＤ変更要求ＣＲｉｄを送信するよう指示することにより、電子機器２００に対して、ＴＩＤｉおよびＡＩＤｊの少なくとも一方を変更するよう指示する。
【００３１】
＜接続態様の第１の例＞
図４は、本発明の実施の形態における通信端末１０１および１０２と電子機器２０１および２０２との接続態様の第１の例を示す図である。この例では、電子機器２０１は、通信端末１０１を示す端末ＩＤ（ＴＩＤ１）およびアプリケーション１１１を示すアプリケーションＩＤ（ＡＩＤ１）に応じた方式によって無線通信を行う。また、電子機器２０２は、通信端末１０２を示す端末ＩＤ（ＴＩＤ２）およびアプリケーション１１２を示すアプリケーションＩＤ（ＡＩＤ２）に応じた方式によって無線通信を行う。
【００３２】
例えば、電子機器２０１は、アプリケーション１１１と同じ暗号鍵を用いてデータの暗号化および復号化を行い、通信端末１０１と同じ無線通信プロトコルに従ってデータの送受信を行う。同様に、電子機器２０２は、アプリケーション１１２と同じ暗号鍵を用いてデータの暗号化および復号化を行い、通信端末１０２と同じ無線通信プロトコルに従ってデータの送受信を行う。
【００３３】
これにより、電子機器２０１と通信端末１０１との間で無線通信を行い、アプリケーション１１１によって電子機器２０１を操作し、または、アプリケーション１１１によって電子機器２０１からの情報を取得することができる。同様に、電子機器２０２と通信端末１０２との間で無線通信を行い、アプリケーション１１２によって電子機器２０２を操作し、または、アプリケーション１１２によって電子機器２０２からの情報を取得することができる。
【００３４】
図５は、図４の接続例に対応する機器管理サーバ３００のデータベースの記憶例を示す図である。この例では、電子機器２０１の機器ＩＤ「ＤＩＤ１」に対して、通信端末１０１の端末ＩＤ「ＴＩＤ１」およびアプリケーション１１１のアプリケーションＩＤ「ＡＩＤ１」の対が関連付けて記憶されている。また、電子機器２０２の機器ＩＤ「ＤＩＤ２」に対して、通信端末１０２の端末ＩＤ「ＴＩＤ２」およびアプリケーション１１２のアプリケーションＩＤ「ＡＩＤ２」の対が関連付けて記憶されている。
【００３５】
図６は、図４の接続例に対して接続変更を行った際の接続態様例を示す図である。この例では、電子機器２０２（の記憶部２４０）に記憶されている端末ＩＤおよびアプリケーションＩＤが変更され、電子機器２０２の無線通信の接続先のアプリケーション（通信端末）が変更されている。
【００３６】
具体的には、機器管理サーバ３００は、電子機器２０２に対して、ＩＤ変更要求ＣＲｉｄを送信して、記憶部２４０に記憶されている端末ＩＤを「ＴＩＤ２」から「ＴＩＤ１」に変更し、記憶部２４０に記憶しているアプリケーションＩＤを「ＡＩＤ２」から「ＡＩＤ１」に変更するよう指示する。これにより、電子機器２０２の無線通信の接続先は、アプリケーション１１２（通信端末１０２）からアプリケーション１１１（通信端末１０１）に変更される。
【００３７】
図７は、図６の接続例に対応する機器管理サーバ３００のデータベースの記憶例を示す図である。この例では、図５の例と同様に、電子機器２０１の機器ＩＤ「ＤＩＤ１」に対して、通信端末１０１の端末ＩＤ「ＴＩＤ１」およびアプリケーション１１１のアプリケーションＩＤ「ＡＩＤ１」の対が関連付けて記憶されている。一方、電子機器２０２の機器ＩＤ「ＤＩＤ２」に対しては、図５の例から端末ＩＤおよびアプリケーションＩＤが変更され、電子機器２０１と同様に、通信端末１０２の端末ＩＤ「ＴＩＤ１」およびアプリケーション１１２のアプリケーションＩＤ「ＡＩＤ１」の対が関連付けて記憶される。
【００３８】
このように、電子機器２０２側から無線通信の接続先のアプリケーション（通信端末）を指定して、接続先をアプリケーション１１２（通信端末１０２）からアプリケーション１１１（通信端末１０１）に変更することができる。
【００３９】
＜接続態様の第２の例＞
図８は、本発明の実施の形態における通信端末１００と電子機器２００との接続態様の第２の例を示す図である。この例では、１つの通信端末１００に複数のアプリケーション１１１および１１２がインストールされている場合を想定している。この例では、電子機器２００は、通信端末１００を示す端末ＩＤ（ＴＩＤ１）およびアプリケーション１１１を示すアプリケーションＩＤ（ＡＩＤ１）に応じた方式によって無線通信を行う。
【００４０】
これにより、電子機器２００と通信端末１００との間で無線通信を行い、アプリケーション１１１によって電子機器２００を操作し、または、アプリケーション１１１によって電子機器２００からの情報を取得することができる。
【００４１】
図９は、図８の接続例に対応する機器管理サーバ３００のデータベースの記憶例を示す図である。この例では、電子機器２００の機器ＩＤ「ＤＩＤ１」に対して、通信端末１００の端末ＩＤ「ＴＩＤ１」およびアプリケーション１１１のアプリケーションＩＤ「ＡＩＤ１」の対が関連付けて記憶されている。
【００４２】
図１０は、図８の接続例に対して接続変更を行った際の接続態様例を示す図である。この例では、電子機器２００（の記憶部２４０）に記憶されているアプリケーションＩＤが変更され、電子機器２００の無線通信の接続先のアプリケーションが変更されている。
【００４３】
具体的には、機器管理サーバ３００は、電子機器２００に対して、ＩＤ変更要求ＣＲｉｄを送信して、記憶部２４０に記憶されているアプリケーションＩＤを「ＡＩＤ１」から「ＡＩＤ２」に変更するよう指示する。これにより、電子機器２００の無線通信の接続先は、アプリケーション１１１からアプリケーション１１２に変更される。
【００４４】
図１１は、図１０の接続例に対応する機器管理サーバ３００のデータベースの記憶例を示す図である。この例では、電子機器２００の機器ＩＤ「ＤＩＤ１」に対して、図９の例からアプリケーションＩＤが変更され、通信端末１００の端末ＩＤ「ＴＩＤ１」およびアプリケーション１１２のアプリケーションＩＤ「ＡＩＤ２」の対が関連付けて記憶される。
【００４５】
このように、電子機器２００側から、通信端末１００における複数のアプリケーションの何れかを無線通信の接続先として指定することができる。この例では、通信端末１００における接続先をアプリケーション１１１からアプリケーション１１２に変更している。
【００４６】
＜接続態様の第３の例＞
図１２は、本発明の実施の形態における通信端末１００と電子機器２００との接続態様の第３の例を示す図である。この例では、１つの通信端末１００に複数のアプリケーション１１１および１１２がインストールされている場合を例示しているが、複数のアプリケーション１１１および１１２がそれぞれ異なる通信端末にインストールされていてもよい。この例では、電子機器２００は、端末ＩＤに関わらず、アプリケーション１１１を示すアプリケーションＩＤ（ＡＩＤ１）に応じた方式によって無線通信を行う。
【００４７】
これにより、電子機器２００と通信端末１００との間で無線通信を行い、アプリケーション１１１によって電子機器２００を操作し、または、アプリケーション１１１によって電子機器２００からの情報を取得することができる。
【００４８】
図１３は、図１２の接続例に対応する機器管理サーバ３００のデータベースの記憶例を示す図である。この例では、電子機器２００の機器ＩＤ「ＤＩＤ１」に対して、アプリケーション１１１のアプリケーションＩＤ「ＡＩＤ１」が関連付けて記憶されている。すなわち、接続態様の第２の例と異なり、通信端末１００の端末ＩＤは記憶されない。
【００４９】
図１４は、図１２の接続例に対して接続変更を行った際の接続態様例を示す図である。この例では、電子機器２００（の記憶部２４０）に記憶されているアプリケーションＩＤが変更され、電子機器２００の無線通信の接続先のアプリケーションが変更されている。
【００５０】
具体的には、機器管理サーバ３００は、電子機器２００に対して、ＩＤ変更要求ＣＲｉｄを送信して、記憶部２４０に記憶されているアプリケーションＩＤを「ＡＩＤ１」から「ＡＩＤ２」に変更するよう指示する。これにより、電子機器２００の無線通信の接続先は、アプリケーション１１１からアプリケーション１１２に変更される。
【００５１】
図１５は、図１４の接続例に対応する機器管理サーバ３００のデータベースの記憶例を示す図である。この例では、電子機器２００の機器ＩＤ「ＤＩＤ１」に対して、図１３の例からアプリケーションＩＤが変更され、アプリケーション１１２のアプリケーションＩＤ「ＡＩＤ２」が関連付けて記憶される。
【００５２】
このように、電子機器２００側から、複数のアプリケーションの何れかを無線通信の接続先として指定することができる。この例では、接続先をアプリケーション１１１からアプリケーション１１２に変更している。ただし、通信端末に関する指定は行われないため、通信端末について特に制約されることはない。
【００５３】
このように、本発明の実施の形態によれば、電子機器側からデータの授受を行うアプリケーションを指定することができる。
【００５４】
また、副次的な効果として、１つのアプリケーションによって複数の電子機器を一元管理することができる。例えば、家庭内の複数の健康機器からのデータを健康管理アプリケーションで一元管理することができる。また、例えば、家電機器や住宅設備などの様々な電子機器をまとめてコントロールするアプリケーションによって省電力を実現することができる。その結果、複数の電子機器の連携によって利便性が向上し、また、スマートフォンなどの通信端末上で動作しているアプリケーションの数を削減して、バッテリーを長持ちさせることができる。
【００５５】
なお、上述の実施の形態は本発明を具現化するための一例を示したものであり、実施の形態における事項と、特許請求の範囲における発明特定事項とはそれぞれ対応関係を有する。同様に、特許請求の範囲における発明特定事項と、これと同一名称を付した本発明の実施の形態における事項とはそれぞれ対応関係を有する。ただし、本発明は実施の形態に限定されるものではなく、その要旨を逸脱しない範囲において実施の形態に種々の変形を施すことにより具現化することができる。
【００５６】
電子機器は、少なくとも、処理部２３０、通信部２５１、記憶部２４０を備えていればよく、主回路基板２１０に相当する部分は、一般的な電気製品である必要はない。例えば、ワインセラー等の扉に取り付けられた開閉センサにおいて、扉の開閉データが処理部２３０および通信部２５１を介して通信端末に送信されるようにしてもよい。また、例えば、揮発性または不揮発性メモリに予め記憶させたデータが処理部２３０および通信部２５１を介して通信端末に送信されるようにしてもよい。このように、電子機器は、ごく単純な回路やモジュール（例えば開閉センサやメモリ）などに、無線通信機能を持たせたものであってもよい。
【００５７】
通信端末としては、スマートフォンや、タブレット端末、携帯情報端末（ＰＤＡ）およびノートＰＣなどの、無線通信機能を有してアプリケーションを動作させることが可能な端末を広く想定する。また、無線通信のプロトコルとしては、Ｂｌｕｅｔｏｏｔｈ（登録商標）やＢｌｕｅｔｏｏｔｈ（登録商標）Ｌｏｗ  Ｅｎｅｒｇｙ等の近距離無線通信、Ｗｉ−Ｆｉ（登録商標）等の無線ＬＡＮなどの通信規格が想定されるがこれに限定されるものではない。
【００５８】
機器管理サーバは、ユーザが直接操作するだけでなく、例えば、ユーザが電子機器を操作して機器管理サーバと通信を行うことにより、機器管理サーバがＩＤ変更要求ＣＲｉｄを発行して、電子機器に無線通信の接続先を変更するよう指示する構成としてもよい。また、例えば、機器管理サーバは、ユーザがＩＤ変更アプリケーションをインストールした通信端末を操作して機器管理サーバと通信を行うことにより、機器管理サーバがＩＤ変更要求ＣＲｉｄを発行して、電子機器に無線通信の接続先を変更するよう指示する構成としてもよい。また、電子機器に対するＩＤ変更要求の発行元は、機器管理サーバに限定されるものではない。
【００５９】
また、電子機器は、機器管理サーバからのＩＤ変更要求により無線通信の接続先を変更する際、アプリケーションＩＤが示すアプリケーションに応じた方式によって無線通信を行うだけでなく、そのアプリケーションに応じたデータを送受信する構成としてもよい。これにより、例えば、通信端末のディスプレイに、アプリケーションによって異なるメッセージを表示させることができる。また、例えば、子供向けのアプリケーションと大人向けのアプリケーションとで、電子機器を操作可能な範囲や、電子機器から取得可能な情報を変更することができる。
【００６０】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【符号の説明】
【００６１】
１００〜１０２  通信端末
１１０〜１１２  アプリケーション
２００〜２０２  電子機器
２１０  主回路基板
２２０  インターフェース（Ｉ／Ｆ）部
２３０  処理部
２４０  記憶部
２５１〜２５３  通信部
３００  機器管理サーバ
４１０、４３０  ネットワーク
４２０  通信モジュール
４４０  基地局
【図１】
2015122565.tif 000003
【図２】
2015122565.tif 000004
【図３】
2015122565.tif 000005
【図４】
2015122565.tif 000006
【図５】
2015122565.tif 000007
【図６】
2015122565.tif 000008
【図７】
2015122565.tif 000009
【図８】
2015122565.tif 000010
【図９】
2015122565.tif 000011
【図１０】
2015122565.tif 000012
【図１１】
2015122565.tif 000013
【図１２】
2015122565.tif 000014
【図１３】
2015122565.tif 000015
【図１４】
2015122565.tif 000016
【図１５】
2015122565.tif 000017